(57)【要約】      （修正有）【課題】水道水の無駄な廃棄がなく、経済性に優れ、また自然環境の保護に適した入浴介護用リフト装置を提供する。【解決手段】水圧により着座シートを昇降させるピストン・シリンダ装置２０Ｂと、作動水タンク３０Ａと、タンク内に配置されたピストン・シリンダ装置に作動水を供給する水中ポンプ３０Ｂと、ピストン・シリンダ装置とタンクとの間に設けられた給排水管装置４０と、水中ポンプと給排水管装置とに接続され、着座シート２０Ｅを上昇させるときに水中ポンプ３０Ｂを駆動し、着座シートが上昇したときに水中ポンプの駆動を停止するポンプ駆動制御手段５０と、を具備する。作動水は着座シートを下降させるときにピストン・シリンダ装置からタンクに戻される。【選択図】図１
0003183602.tif 000002
【実用新案登録請求の範囲】
【請求項１】
水圧により着座シートを昇降させるピストン・シリンダ装置と、作動水タンクと、前記タンク内に配置された前記ピストン・シリンダ装置に作動水を供給する水中ポンプと、前記ピストン・シリンダ装置と前記タンクとの間に設けられた給排水管装置と、前記水中ポンプと前記給排水管装置とに接続され、前記着座シートを上昇させるときに前記水中ポンプを駆動し、前記着座シートが上昇したときに前記水中ポンプの駆動を停止するポンプ駆動制御手段と、を具備し、作動水は前記着座シートを下降させるときに前記ピストン・シリンダ装置から前記タンクに戻される入浴介護用リフト装置。
【請求項２】
前記給排水管装置は前記ピストン・シリンダ装置に作動水を供給する給水管と、前記ピストン・シリンダ装置から作動水を排出する排水管と、前記ピストン・シリンダ装置と前記給水管及び排水管とを接続する接続管と、前記給水管、前記排水管、前記接続管の交点に設けられた三方弁とを有し、前記三方弁は、手動レバーにより、前記排水管を閉じて前記給水管と前記接続管とが連通する給水位置と、前記給水管を閉じて前記排水管と前記接続管とが連通する排水位置と、前記給水管、前記排水管、前記接続管の全ての間での連通が遮断される停止位置との間で切替え操作される、請求項１に記載の入浴介護用リフト装置。
【請求項３】
前記ポンプ駆動制御手段は、前記給排水管装置の前記給水管上に圧力スイッチを有し、前記三方弁の前記手動レバーが前記給水位置に切替えられると、前記圧力スイッチは前記給水管内の圧力低下を検知して前記ポンプを駆動し、前記三方弁の前記手動レバーが前記排水位置又は前記停止位置にあるとき、前記圧力スイッチは作動しない、請求項２に記載の入浴介護用リフト装置。
【請求項４】
前記三方弁の前記手動レバーが前記排水位置に切替えられると、前記接続管と前記排水管とが連通し、前記ピストン・シリンダ装置内の作動水は前記タンクに戻される、請求項２又は３に記載の入浴介護用リフト装置。
【考案の詳細な説明】
【技術分野】
【０００１】
本考案は、要介護者をシートに座らせた状態で入浴させる際に介護者をアシストするために使用する入浴介護用リフト装置に関する。
【背景技術】
【０００２】
当該技術分野では、要介護者をシートに座らせた状態で入浴させる際に介護者をアシストするために使用される入浴介護用リフト装置自体はよく知られている。例えば、特許文献１に開示された入浴介護用リフト装置は、浴槽に隣接して立設されたピストン・シリンダ装置を有し、着座シートは、このピストン・シリンダ装置のピストンロッドに支持されてピストンと一体に上下動自在に且つ旋回自在に装着されている。
【０００３】
この従来の入浴介護用リフト装置は、水道水の給水圧力で作動し、ピストン・シリンダ装置のシリンダへの給排水は、手動操作弁装置を介して、シリンダが給水管と排水管とに選択的に連通することによりなされる。
【０００４】
すなわち、特許文献１の入浴介護用リフト装置においては、着座シートの上昇には水道水の供給圧力が利用され、該着座シートの下降時には水道水は廃棄される。従って、特許文献１の入浴介護用リフト装置は、その利用の度毎に水道水が無駄に廃棄され、経済性の面でも、自然環境の保護という面でも好ましくない。
【先行技術文献】
【特許文献】
【０００５】
【特許文献１】特開２００５−２８８１０６
【考案の概要】
【考案が解決しようとする課題】
【０００６】
従って、本考案の目的は、要介護者をシートに座らせた状態で入浴させる際に介護者をアシストするために使用する入浴介護用リフト装置であって、水道水の無駄な廃棄を伴わず、しかも操作レバーを給水位置と排水位置との間で操作するだけで着座シートの昇降を容易に制御し得る入浴介護用リフト装置を提供することにある。
【課題を解決するための手段】
【０００７】
本考案による入浴介護用リフト装置は、水圧により着座シートを昇降させるピストン・シリンダ装置と、作動水タンクと、前記タンク内に配置された前記ピストン・シリンダ装置に作動水を供給する水中ポンプと、前記ピストン・シリンダ装置と前記タンクとの間に設けられた給排水管装置と、前記水中ポンプと前記給排水管装置とに接続され、前記着座シートを上昇させるときに前記水中ポンプを駆動し、前記着座シートが上昇したときに前記水中ポンプの駆動を停止するポンプ駆動制御手段と、を具備し、作動水は前記着座シートを下降させるときに前記ピストン・シリンダ装置から前記タンクに戻される。
【０００８】
上記入浴介護用リフト装置において、前記給排水管装置は、前記ピストン・シリンダ装置に作動水を供給する給水管と、前記ピストン・シリンダ装置から作動水を排出する排水管と、前記ピストン・シリンダ装置と前記給水管及び排水管とを接続する接続管と、前記給水管、前記排水管、前記接続管の交点に設けられた三方弁とを有し、前記三方弁は、手動レバーにより、前記排水管を閉じて前記給水管と前記接続管とが連通する給水位置と、前記給水管を閉じて前記排水管と前記接続管とが連通する排水位置と、前記給水管、前記排水管、前記接続管の全ての間での連通が遮断される停止位置との間で切替え操作される。
【０００９】
また、上記入浴介護用リフト装置おいて、前記ポンプ駆動制御手段は、前記給排水管装置の前記給水管上に設置された圧力スイッチを有し、前記三方弁の前記手動レバーが前記給水位置に切替えられると、前記圧力スイッチは前記給水管内の圧力低下を検知して前記ポンプを駆動し、前記三方弁の前記手動レバーが前記排水位置又は前記停止位置にあるとき、前記圧力スイッチは作動しない。
【００１０】
更に、上記入浴介護用リフト装置おいて、前記三方弁の前記手動レバーが前記排水位置に切替えられると、前記接続管と前記排水管とが連通し、前記ピストン・シリンダ装置内の作動水は前記タンクに戻される。
【考案の効果】
【００１１】
以上に述べたように、本考案による入浴介護用リフト装置は、水道水の無駄な廃棄を伴わないので、従来の入浴介護用リフト装置に比べて経済性に優れ、また自然環境の保護に適したものである。
【図面の簡単な説明】
【００１２】
【図１】図１は本考案による入浴介護用リフト装置の全体概略図である。
【図２】図２はピストン・シリンダ装置の主要部断面図である。
【考案を実施するための形態】
【００１３】
次に、添付図面を参照して、本考案による入浴介護用リフト装置の一実施例について説明する。
【実施例１】
【００１４】
図１を参照すると、浴槽の一部が参照符号１０で示され、この浴槽１０は掘り下げ式浴槽として構成される。即ち、浴槽１０は洗い場の床面から下方に掘り下げられた形態として示されている。ただし、本考案の入浴介護用リフト装置は、他の様々な浴槽、例えば、床面設置式浴槽、半埋め込み式浴槽等にも適用可能である。
【００１５】
本実施形態において、入浴介護用リフト装置は、リフト装置本体２０と、該本体に作動水を供給する作動水供給装置３０と、リフト装置本体２０と作動水供給装置３０との間の給排水管装置４０とからなる。
【００１６】
リフト装置本体２０は、浴槽１０の底部に設置された取付け台２０Ａと、取付け台２０Ａ上に立設されたピストン・シリンダ装置２０Ｂと、ピストン・シリンダ装置２０Ｂの外側を軸方向に摺動自在に且つ旋回自在に装着された外側円筒部材２０Ｃと、外側円筒部材２０Ｃに固着された着座シート支持ステー２０Ｄと、支持ステー２０Ｄに取外し可能に装着された着座シート２０Ｅとを具備する。
【００１７】
図２から明らかなように、ピストン・シリンダ装置２０Ｂは、シリンダ２０１と、このシリンダ内に収容されたピストン２０２と、ピストンの中心部からシリンダ２０１上端のピストンロッド・ホルダ２０４を貫通して上方に延びるピストンロッド２０３とから成り、ピストンロッド２０３の頂部端には外側円筒部材２０Ｃが旋回自在に連結される。かくして、外側円筒形部材２０Ｃはシリンダ２０１の外側でピストン２０２の昇降に伴い上昇或いは下降するとともに、シリンダ２０１の回りで旋回自在とされる。要するに、入浴時に要介護者を座らせるシート２０はピストン・シリンダ装置２０Ｂによって昇降自在かつ旋回自在に支持されている。なお、ピストン２０２の上昇は、ピストン２０２上に設けられたリミッタ２０５がピストンロッド・ホルダ２０４に当接したときに規制される。
【００１８】
作動水供給装置３０は、作動水タンク３０Ａとこの作動水タンク３０Ａ内に設置された水中ポンプ３０Ｂとを具備する。作動水タンク３０Ａは水道管（図示されない）からフロート作動弁を介して給水を受け、これにより作動水タンク３０Ａ内には常に一定の水量が維持されている。水中ポンプ３０Ｂについては、市販の適当なものを使用することでき、水道水の給水圧力とほぼ同様な４気圧程度の圧力で作動水を圧送し得るものが採用される。
【００１９】
給排水管装置４０には、三方弁４０Ａと、給水管４０Ｂと、接続管４０Ｃと、排水管４０Ｄとが設けられ、三方弁４０Ａは３つの配管４０Ｂ、４０Ｃ、４０Ｄの交点に配置される。即ち、三方弁４０Ａには、水中ポンプ３０Ｂの吐出口から延びる給水管４０Ｂとの第１の連結口と、ピストン・シリンダ装置２０Ｂのシリンダ２０１に接続された接続管４０Ｃとの第２の連結口、それに、排水管４０Ｄとの第３の連結口が設けられている。なお、排水管４０Ｄは作動水タンク３０Ａ内の上部に導かれて該箇所で開放されている。
【００２０】
三方弁４０Ａは操作レバー４０１を備え、この操作レバー４０１は給水位置と排水位置と停止位置との間で切替え操作される。操作レバー４０１が給水位置に切替えられると、三方弁４０Ａの第１及び第２の連結口が開かれて給水管４０Ｂと接続管４０Ｃとが連通し、同時に排水管４０Ｄに連結された第３の連結口は閉じられる。この結果、作動水が作動水タンク３０Ａからピストン・シリンダ装置２０Ｂのシリンダ２０１に供給される。操作レバー４０１が排水位置に切替えられると、三方弁４０Ａの第２及び第３の連結口が開放されて、接続管４０Ｃと排水管４０Ｄとが連通し、給水管４０Ｂに連結された第１の連結口は閉じられる。この結果、ピストン・シリンダ装置２０Ｂのシリンダ２０１から作動水が排水されてタンク３０Ａに戻される。また、操作レバー４０１が停止位置に切替えられると、三方弁４０Ａの給水管４０Ｂ、接続管４０Ｃ、及び排水管４０Ｄのそれぞれに連結された第１、第２及び第３の連結口が全て閉じられて、作動水の移動は停止する。
【００２１】
本考案による入浴介護用リフト装置は、更に、水中ポンプ３０Ｂを駆動するためのポンプ駆動制御装置５０を備える。このポンプ駆動制御装置５０はコントローラボックス５０Ａと、給水管４０Ｂにその圧力の低下を検知すべく設けられた圧力スイッチ５０Ｂとからなる。コントローラボックス５０Ａ内には、水中ポンプ３０Ｂを駆動するための駆動電源回路（不図示）と、この駆動電源回路のオン／オフを圧力スイッチ５０Ｂの信号に基づいて制御するためのスイッチ素子（不図示）とが含まれる。
【００２２】
ポンプ駆動制御装置５０の作動は次の通りである。即ち、三方弁４０Ａの操作レバー４０１が給水位置に切替えられると、三方弁４０Ａの第１及び第２の連結口が開かれて給水管４０Ｂと接続管４０Ｃとが連通することにより、給水管４０Ｂ内の圧力が低下する。圧力スイッチ５０Ｂがこの給水管４０Ｂの圧力低下を検知すると、その検知信号に基づいてスイッチ素子が水中ポンプ３０Ｂの駆動電源回路をオンし、水中ポンプ３０Ｂを駆動する。これにより、作動水がタンク３０Ａからピストン・シリンダ装置２０Ｂのシリンダ２０１に供給される。シリンダ２０１内が作動水で満たされ、ピストン２０２が上昇し、リミッタ２０５がピストンロッド・ホルダ２０４と当接すると、ピストン２０２は上昇できなくなる。これによりシリンダ２０１、接続管４０Ｃ及び給水管４０Ｂ内の水圧が上昇し約５気圧まで高まると、水中ポンプ３０Ｂはその運転を自動停止するように設定されている。一方、三方弁４０Ａの操作レバー４０１が給水位置以外の位置にあるときは、給水管４０Ｂ内に圧力低下が生じないため圧力スイッチ５０Ｂは作動せず、水中ポンプ３０Ｂは駆動されない。
【００２３】
なお、図１において、参照符号５０Ｃは漏電ブレカーを示し、水中ポンプ３０Ｂの駆動電源回路には漏電ブレカー５０Ｃを介して商用電源から給電される。また、参照符号５０Ｄは第１の給水配管４０Ｂ内の作動水の圧力を計測するための圧力計を示すが、この圧力計５０Ｄ自体が水中ポンプ３０Ｂの制御に直接関与することはない。
【００２４】
次に、本考案による入浴介護用リフト装置の作動について説明する。なお、説明の都合上、初期状態として、三方弁４０Ａの操作レバー４０１が排水位置に置かれている状態を想定する。
【００２５】
上述の記載から明らかなように、操作レバー４０１が排水位置に置かれている状態では、三方弁４０Ａの第２及び第３の連結口が開放されて接続管４０Ｃと排水管４０Ｄが互いに連通し、ピストン・シリンダ装置２０Ｂ内の作動水は接続管４０Ｃ及び排水管４０Ｄを通して作動水タンク３０Ａに戻される。一方、三方弁４０Ａの第１の連結口、即ち給水管４０Ｂは閉じられており、このため給水管４０Ｂ内の作動水は静止している。このとき、着座シート２０Ｅは外側円筒部材２０Ｃと共に下方位置にある。
【００２６】
以上で想定した初期状態において、操作レバー４０１が排水位置から給水位置に操作されると、三方弁４０Ａの第１及び第２の連結口が開放され、給水管４０Ｂと接続管４０Ｃは互いに連通し、一方三方弁４０Ａの第３の連結口、即ち、排水管４０Ｄに接続された連結口は閉じられる。かくして、第１及び第２の連結口が開放された結果、給水管４０Ｂ内の水圧が低下し、圧力スイッチ５０Ｂがこの給水管４０Ｂ内の圧力低下を検知して水中ポンプ３０Ｂを駆動する。作動水は作動水タンク３０Ａから給水管４０Ｂ及び接続管４０Ｃを通してピストン・シリンダ装置２０Ｂに供給される。このため着座シート２０Ｅは外側円筒部材２０Ｃと共に下方位置から上昇する。この間、給水管４０Ｂ内では作動水の流れが維持され、水中ポンプ３０Ｂの運転状態も継続する。
【００２７】
ピストン・シリンダ装置２０Ｂのシリンダ２０１内が作動水で満たされ、リミッタ２０５がピストンロッド・ホルダ２０４と当接すると、ピストン２０２は上昇できなくなり、着座シート２０Ｅは外側円筒部材２０Ｃと共に上方位置で停止する。これによりシリンダ２０１、接続管４０Ｃ及び給水管４０Ｂ内の水圧が上昇し、約５気圧に達すると、水中ポンプ３０Ｂは圧力上昇限界として作動を停止する。
【００２８】
その後、操作レバー４０１が排水位置に戻されると、三方弁４０Ａの第２及び第３の連結口が開放され、接続管４０Ｃと排水管４０Ｄとが連通する。このためピストン・シリンダ装置２０Ｂ内の作動水は、着座シート２０Ｅ及び外側円筒部材２０Ｃの荷重、場合によっては、更に要介護者の体重、により、シリンダ２０１内から接続管４０Ｃ及び排水管４０Ｄを通して作動水タンク３０Ａに戻されて回収される。このとき、給水管４０Ｂと接続された三方弁４０Ａの第１の連結口は閉じられている。
【００２９】
なお、着座シート２０Ｅの上昇途中において、操作レバー４０１が給水位置から停止位置に切替えられると、或いは、着座シート２０Ｅの下降途中において、操作レバー４０１が排水位置から停止位置に切替えられると、三方弁４０Ａの第１、第２及び第３の全ての連結口が閉じられて、給排水管装置４０の給水管４０Ｂ、接続管４０Ｃ及び排水管４０Ｄ内における作動水の移動が停止する。この結果、着座シート２０Ｅは、操作レバー４０１が切替えられたときの高さ位置に保持される。
【産業上の利用可能性】
【００３０】
本考案による入浴介護用リフト装置は、掘り下げ式浴槽のみでなく、床面設置式浴槽、半埋め込み式浴槽等様々な浴槽に適用可能である。
【符号の説明】
【００３１】
２０                      リフト装置本体
２０Ｂ                    ピストン・シリンダ装置
２０Ｅ                    着座シート
３０                      作動水供給装置
３０Ａ                    作動水タンク
３０Ｂ                    水中ポンプ
４０                      給排水管装置
４０Ａ                    三方弁
４０１                    操作レバー
５０                      ポンプ駆動制御手段
５０Ｂ                    圧力スイッチ
【図１】
0003183602.tif 000003
【図２】
0003183602.tif 000004